(57)【特許請求の範囲】
【請求項１】
テレビジョン番組を録画する記録装置において、
想定される複数の利用者のうち、現在の操作者が誰であるのかを択一的に選択させるユーザインタフェースにより、操作入力を行った前記操作者を識別する識別手段と、
前記操作入力から前記操作者の嗜好情報を取得する取得手段と、
取得された前記嗜好情報を、識別された前記操作者に対応付けて管理する管理手段と、
各利用者にそれぞれ対応付けて管理された前記嗜好情報に基づき、前記テレビジョン番組の録画予約を設定する設定手段と、
前記嗜好情報に基づいて設定された前記録画予約に対応してテレビジョン番組を録画する録画手段と、
前記嗜好情報に基づいて設定された前記録画予約に対応してテレビジョン番組が録画された場合、想定される複数の利用者それぞれを個別に表す、記録装置の外観に設けられた第１の識別インジケータを用い、前記嗜好情報に対応する前記利用者に対して、録画されたテレビジョン番組の視聴を促す促進手段と
を含み、
現在の操作者が誰であるのかを択一的に選択させる前記ユーザインタフェースと、想定される複数の利用者それぞれを個別に表す前記識別インジケータとは、同一形状である
記録装置。
【請求項２】
前記識別手段は、想定される複数の利用者のうち、現在の操作者が誰であるのかを択一的に選択させるユーザインタフェースにより、録画予約の操作入力を行った前記操作者を識別する
請求項１に記載の記録装置。
【請求項３】
前記嗜好情報に基づいて設定された前記録画予約、または操作者によって設定された録画予約の一覧を示す録画予約一覧を表示させるとともに、前記第１の識別インジケータと同一形状の第２の識別インジケータを前記録画予約一覧を構成する録画予約に対応付けて表示することにより、前記嗜好情報に対応する利用者、または前記録画予約を設定した操作者を示す録画予約一覧表示手段を
さらに含む請求項１に記載の記録装置。
【請求項４】
前記嗜好情報に基づいて設定された前記録画予約、または操作者によって設定された録画予約に基づいて録画されたテレビジョン番組の一覧を示す録画タイトル一覧を表示させるとともに、前記第１の識別インジケータと同一形状の第３の識別インジケータを前記録画タイトル一覧を構成する録画タイトルに対応付けて表示することにより、録画予約の元となった前記嗜好情報に対応する利用者、または前記録画予約を設定した操作者を示す録画タイトル一覧表示手段を
さらに含む請求項１に記載の記録装置。
【請求項５】
テレビジョン番組を録画する記録装置の記録制御方法において、
想定される複数の利用者のうち、現在の操作者が誰であるのかを択一的に選択させるユーザインタフェースにより、操作入力を行った前記操作者を識別する識別ステップと、
前記操作入力から前記操作者の嗜好情報を取得する取得ステップと、
取得された前記嗜好情報を、識別された前記操作者に対応付けて管理する管理ステップと、
各利用者にそれぞれ対応付けて管理された前記嗜好情報に基づき、前記テレビジョン番組の録画予約を設定する設定ステップと、
前記嗜好情報に基づいて設定された前記録画予約に対応してテレビジョン番組を録画する録画ステップと、
前記嗜好情報に基づいて設定された前記録画予約に対応してテレビジョン番組が録画された場合、想定される複数の利用者それぞれを個別に表す、記録装置の外観に設けられた第１の識別インジケータを用い、前記嗜好情報に対応する前記利用者に対して、録画されたテレビジョン番組の視聴を促す促進ステップと
を含み、
現在の操作者が誰であるのかを択一的に選択させる前記ユーザインタフェースと、想定される複数の利用者それぞれを個別に表す前記識別インジケータとは、同一形状である
記録制御方法。
【請求項６】
テレビジョン番組を録画する記録装置の制御用のプログラムであって、
想定される複数の利用者のうち、現在の操作者が誰であるのかを択一的に選択させるユーザインタフェースにより、操作入力を行った前記操作者を識別する識別ステップと、
前記操作入力から前記操作者の嗜好情報を取得する取得ステップと、
取得された前記嗜好情報を、識別された前記操作者に対応付けて管理する管理ステップと、
各利用者にそれぞれ対応付けて管理された前記嗜好情報に基づき、前記テレビジョン番組の録画予約を設定する設定ステップと、
前記嗜好情報に基づいて設定された前記録画予約に対応してテレビジョン番組を録画する録画ステップと、
前記嗜好情報に基づいて設定された前記録画予約に対応してテレビジョン番組が録画された場合、想定される複数の利用者それぞれを個別に表す、記録装置の外観に設けられた第１の識別インジケータを用い、前記嗜好情報に対応する前記利用者に対して、録画されたテレビジョン番組の視聴を促す促進ステップと
を含み、
現在の操作者が誰であるのかを択一的に選択させる前記ユーザインタフェースと、想定される複数の利用者それぞれを個別に表す前記識別インジケータとは、同一形状である
処理を記録装置のコンピュータに実行させるプログラムが記録されている記録媒体。
【請求項７】
テレビジョン番組を録画する記録装置の制御用のプログラムであって、
想定される複数の利用者のうち、現在の操作者が誰であるのかを択一的に選択させるユーザインタフェースにより、操作入力を行った前記操作者を識別する識別ステップと、
前記操作入力から前記操作者の嗜好情報を取得する取得ステップと、
取得された前記嗜好情報を、識別された前記操作者に対応付けて管理する管理ステップと、
各利用者にそれぞれ対応付けて管理された前記嗜好情報に基づき、前記テレビジョン番組の録画予約を設定する設定ステップと、
前記嗜好情報に基づいて設定された前記録画予約に対応してテレビジョン番組を録画する録画ステップと、
前記嗜好情報に基づいて設定された前記録画予約に対応してテレビジョン番組が録画された場合、想定される複数の利用者それぞれを個別に表す、記録装置の外観に設けられた第１の識別インジケータを用い、前記嗜好情報に対応する前記利用者に対して、録画されたテレビジョン番組の視聴を促す促進ステップと
を含み、
現在の操作者が誰であるのかを択一的に選択させる前記ユーザインタフェースと、想定される複数の利用者それぞれを個別に表す前記識別インジケータとは、同一形状である
処理を記録装置のコンピュータに実行させるプログラム。
【発明の詳細な説明】
【技術分野】
【０００１】
本発明は、記録装置、記録制御方法、記録媒体、およびプログラムに関し、例えば、複数のユーザの嗜好にそれぞれ対応して、テレビジョン番組を録画予約したり、録画した番組の視聴を勧めたりするようにした記録装置、記録制御方法、記録媒体、およびプログラムに関する。
【背景技術】
【０００２】
テレビジョン番組を録画する既存のビデオレコーダには、ユーザの嗜好に対応してテレビジョン番組を録画予約する自動録画機能を有するものがある。ユーザのプラスの嗜好（興味がある、好き等）は、ユーザ自らが興味のあるキーワードやジャンル等を設定する方法、過去にユーザによって録画予約された番組のEPG(Electronic Program Guide)情報等からキーワード等を抽出する方法等がある。ユーザのマイナスの嗜好（興味がない、嫌い等）は、ユーザ自らが設定する方法、録画されても視聴されることなく消去された番組のEPG情報等からキーワード等を抽出する方法等がある（例えば、特許文献１参照）。
【０００３】
【特許文献１】特開２００２−１５２６３９号公報
【発明の開示】
【発明が解決しようとする課題】
【０００４】
このような従来のビデオレコーダであって、複数のユーザによって使用されることが想定されていないものを、複数のユーザ（例えば、家族）で共用した場合、例えば、家族のうち、ユーザＡがキーワード「野球」に対してプラスの嗜好を設定しても、ユーザＡとは異なるユーザＢがキーワード「野球」に対してマイナスの嗜好を設定した場合、設定されるユーザの嗜好では、キーワード「野球」に対する嗜好が無くなるので、プロ野球中継等の番組が自動録画されないことになる。
【０００５】
つまり、各ユーザの嗜好が相反する場合、結果的には、ビデオレコーダに対して設定されるユーザの嗜好が、複数のユーザの嗜好が平均化されたものとなってしまい、自動録画機能が有効に動作しないことが起こり得るという課題があった。
【０００６】
また、自動録画機能を有するビデオレコーダには、ユーザのマイナスの嗜好を考慮しないものもあるが、これを複数のユーザで共用した場合、自動録画される番組の数が多くなるので、自動録画された番組のＡＶデータ（以下、録画タイトルと称する）の中から各ユーザが所望の録画タイトルを探し出すことが面倒であるという課題があった。
【０００７】
ところで、従来のビデオレコーダに、複数のユーザを識別する機能と、ユーザ毎に嗜好の情報を管理する機能を付加することも考えられる。複数のユーザを識別する機能を実現する方法としては、例えば、パーソナルコンピュータのように操作開始時にユーザＩＤとパスワードの入力を求める方法や、リモートコントローラ（以下、リモコンと略記する）にユーザを識別するためのボタンを設ける方法等によって実現することが考えられる。しかしながら、いずれの方法もユーザにとって操作が面倒となるので、家庭電化製品であるビデオレコーダには適していないという課題があった。
【０００８】
本発明はこのような状況に鑑みてなされたものであり、容易な操作によって複数のユーザを識別し、各ユーザの嗜好を個別に管理できるようにすることを目的とする。
【課題を解決するための手段】
【０００９】
本発明の記録装置は、テレビジョン番組を録画する記録装置において、想定される複数の利用者のうち、現在の操作者が誰であるのかを択一的に選択させるユーザインタフェースにより、操作入力を行った前記操作者を識別する識別手段と、前記操作入力から前記操作者の嗜好情報を取得する取得手段と、取得された前記嗜好情報を、識別された前記操作者に対応付けて管理する管理手段と、各利用者にそれぞれ対応付けて管理された前記嗜好情報に基づき、前記テレビジョン番組の録画予約を設定する設定手段と、前記嗜好情報に基づいて設定された前記録画予約に対応してテレビジョン番組を録画する録画手段と、前記嗜好情報に基づいて設定された前記録画予約に対応してテレビジョン番組が録画された場合、想定される複数の利用者それぞれを個別に表す、記録装置の外観に設けられた第１の識別インジケータを用い、前記嗜好情報に対応する前記利用者に対して、録画されたテレビジョン番組の視聴を促す促進手段とを含み、現在の操作者が誰であるのかを択一的に選択させる前記ユーザインタフェースと、想定される複数の利用者それぞれを個別に表す前記識別インジケータとは、同一形状である。
【００１０】
前記識別手段は、想定される複数の利用者のうち、現在の操作者が誰であるのかを択一的に選択させるユーザインタフェースにより、録画予約の操作入力を行った前記操作者を識別するようにすることができる。
【００１１】
本発明の記録装置は、前記嗜好情報に基づいて設定された前記録画予約、または操作者によって設定された録画予約の一覧を示す録画予約一覧を表示させるとともに、前記第１の識別インジケータと同一形状の第２の識別インジケータを前記録画予約一覧を構成する録画予約に対応付けて表示することにより、前記嗜好情報に対応する利用者、または前記録画予約を設定した操作者を示す録画予約一覧表示手段をさらに含むことができる。
【００１２】
本発明の記録装置は、前記嗜好情報に基づいて設定された前記録画予約、または操作者によって設定された録画予約に基づいて録画されたテレビジョン番組の一覧を示す録画タイトル一覧を表示させるとともに、前記第１の識別インジケータと同一形状の第３の識別インジケータを前記録画タイトル一覧を構成する録画タイトルに対応付けて表示することにより、録画予約の元となった前記嗜好情報に対応する利用者、または前記録画予約を設定した操作者を示す録画タイトル一覧表示手段をさらに含むことができる。
【００１３】
本発明の記録制御方法は、テレビジョン番組を録画する記録装置の記録制御方法において、想定される複数の利用者のうち、現在の操作者が誰であるのかを択一的に選択させるユーザインタフェースにより、操作入力を行った前記操作者を識別する識別ステップと、前記操作入力から前記操作者の嗜好情報を取得する取得ステップと、取得された前記嗜好情報を、識別された前記操作者に対応付けて管理する管理ステップと、各利用者にそれぞれ対応付けて管理された前記嗜好情報に基づき、前記テレビジョン番組の録画予約を設定する設定ステップと、前記嗜好情報に基づいて設定された前記録画予約に対応してテレビジョン番組を録画する録画ステップと、前記嗜好情報に基づいて設定された前記録画予約に対応してテレビジョン番組が録画された場合、想定される複数の利用者それぞれを個別に表す、記録装置の外観に設けられた第１の識別インジケータを用い、前記嗜好情報に対応する前記利用者に対して、録画されたテレビジョン番組の視聴を促す促進ステップとを含み、現在の操作者が誰であるのかを択一的に選択させる前記ユーザインタフェースと、想定される複数の利用者それぞれを個別に表す前記識別インジケータとは、同一形状である。
【００１４】
本発明の記録媒体は、テレビジョン番組を録画する記録装置の制御用のプログラムであって、想定される複数の利用者のうち、現在の操作者が誰であるのかを択一的に選択させるユーザインタフェースにより、操作入力を行った前記操作者を識別する識別ステップと、前記操作入力から前記操作者の嗜好情報を取得する取得ステップと、取得された前記嗜好情報を、識別された前記操作者に対応付けて管理する管理ステップと、各利用者にそれぞれ対応付けて管理された前記嗜好情報に基づき、前記テレビジョン番組の録画予約を設定する設定ステップと、前記嗜好情報に基づいて設定された前記録画予約に対応してテレビジョン番組を録画する録画ステップと、前記嗜好情報に基づいて設定された前記録画予約に対応してテレビジョン番組が録画された場合、想定される複数の利用者それぞれを個別に表す、記録装置の外観に設けられた第１の識別インジケータを用い、前記嗜好情報に対応する前記利用者に対して、録画されたテレビジョン番組の視聴を促す促進ステップとを含み、現在の操作者が誰であるのかを択一的に選択させる前記ユーザインタフェースと、想定される複数の利用者それぞれを個別に表す前記識別インジケータとは、同一形状である処理を記録装置のコンピュータに実行させるプログラムが記録されている。
【００１５】
本発明のプログラムは、テレビジョン番組を録画する記録装置の制御用のプログラムであって、想定される複数の利用者のうち、現在の操作者が誰であるのかを択一的に選択させるユーザインタフェースにより、操作入力を行った前記操作者を識別する識別ステップと、前記操作入力から前記操作者の嗜好情報を取得する取得ステップと、取得された前記嗜好情報を、識別された前記操作者に対応付けて管理する管理ステップと、各利用者にそれぞれ対応付けて管理された前記嗜好情報に基づき、前記テレビジョン番組の録画予約を設定する設定ステップと、前記嗜好情報に基づいて設定された前記録画予約に対応してテレビジョン番組を録画する録画ステップと、前記嗜好情報に基づいて設定された前記録画予約に対応してテレビジョン番組が録画された場合、想定される複数の利用者それぞれを個別に表す、記録装置の外観に設けられた第１の識別インジケータを用い、前記嗜好情報に対応する前記利用者に対して、録画されたテレビジョン番組の視聴を促す促進ステップとを含み、現在の操作者が誰であるのかを択一的に選択させる前記ユーザインタフェースと、想定される複数の利用者それぞれを個別に表す前記識別インジケータとは、同一形状である処理を記録装置のコンピュータに実行させる。
【００１６】
本発明においては、想定される複数の利用者のうち、現在の操作者が誰であるのかを択一的に選択させるユーザインタフェースにより、操作入力を行った前記操作者が識別され、前記操作入力から前記操作者の嗜好情報が取得され、取得された前記嗜好情報が、識別された前記操作者に対応付けて管理される。また、各利用者にそれぞれ対応付けて管理された前記嗜好情報に基づき、前記テレビジョン番組の録画予約が設定され、前記嗜好情報に基づいて設定された前記録画予約に対応してテレビジョン番組が録画される。そして、前記嗜好情報に基づいて設定された前記録画予約に対応してテレビジョン番組が録画された場合、想定される複数の利用者それぞれを個別に表す、記録装置の外観に設けられた第１の識別インジケータが用いられ、前記嗜好情報に対応する前記利用者に対して、録画されたテレビジョン番組の視聴が促される。なお、現在の操作者が誰であるのかを択一的に選択させる前記ユーザインタフェースと、想定される複数の利用者それぞれを個別に表す前記識別インジケータとは、同一形状である。
【発明の効果】
【００２１】
本発明によれば、容易な操作によって複数のユーザを識別することが可能となる。また、本発明によれば、各ユーザの嗜好を個別に管理することが可能となる。
【発明を実施するための最良の形態】
【００２２】
以下に、本発明の実施の形態を説明する。
【００２６】
以下、本発明の一実施の形態であるビデオレコーダについて説明する。図１は、当該ビデオレコーダ１の外観を示している。ビデオレコーダ１には、その外観にユーザ識別インジケータ２が設けられている。ユーザ識別インジケータ２は、識別可能なユーザ数（以下、３人と仮定する）に対応する数（いまの場合、３）のLED等の発光体から構成され、ビデオレコーダ１から各ユーザに対して連絡があるときなどに発光される。例えば、識別可能なユーザ数が３であって、ユーザＡ，Ｂ，Ｃのうち、ユーザＡに対して連絡があるときには左端の発光体が、ユーザＢに対して連絡があるときには真中の発光体が、ユーザＣに対して連絡があるときには右端の発光体が、それぞれ点灯される。
【００２７】
次に、図２は、ビデオレコーダ１の内部の構成例を示している。制御部１１は、プログラムメモリ１３に保持されているプログラムに基づき、バス１２を介して接続された各部を制御する。プログラムメモリ１３には、制御部１１によって実行されるプログラムが保持されている。なお、このプログラムは、放送信号に多重化されているデータやネットワークを介して受信したデータを用いてバージョンアップすることができる。あるいは、プログラムメモリ１３を、バージョンアップされたプログラムが記憶されているものと着脱換装可能とするようにしてもよい。
【００２８】
チューナ１４は、アンテナ（不図示）等からの入力から選局されたチャンネルの放送信号を抽出し、対応するＡＶデータを生成する。エンコーダ１５は、録画時において、チューナ１４によって生成されたＡＶデータを、MPEG２方式等に従ってエンコードすることによってＡＶ符号化データを生成する。
【００２９】
補助記憶部１６は、エンコーダ１５によってエンコーダされる前のＡＶデータ、主記憶部１７に記録される前のＡＶ符号化データ、デコーダ１８によってデコーダされる前のＡＶ符号化データ等をバッファリングする。
【００３０】
主記憶部１７は、例えば、ハードディディスク、磁気テープ、光ディスク、半導体メモリ等から成り、エンコーダ１５から出力されるＡＶ符号化データや、後述する嗜好情報データベース（ＤＢ）１００（図４）等を記憶する。
【００３１】
デコーダ１８は、再生時において、主記憶部１７から読み出されたＡＶ符号化データをデコードしてＡＶデータを復元する。出力部１９は、チューナ１４によって生成されたＡＶデータやデコーダ１８によって復元されたＡＶデータを、後段のモニタ３１（テレビジョン受像機等）に適したフォーマットに変換する。
【００３２】
ネットワークインタフェース(I/F)２０は、インタネットに代表されるネットワーク３２を介してデータを通信する。
【００３３】
これらの他、ビデオレコーダ１には、リモコンから送信される赤外線信号等を受信する受信部、ユーザの操作を受け付ける操作ボタン、動作状況等を表示する表示部、外部入力端子等（いずれも不図示）が設けられている。
【００３４】
次に、図３は、プログラムメモリ１３に記憶され、制御部１１によって実行されるプログラムによって実現される機能モジュールの構成例を示している。
【００３５】
ライブ放送再生部５１は、チューナ１４に入力されているリアルタイムな放送信号に対応するＡＶデータを、モニタ３１に出力するための制御を行う。録画タイトル再生部５２は、録画されて主記憶部１７に記憶されている録画タイトル（１番組に対応するＡＶ符号化データ）に対応するＡＶデータを、モニタ３１に出力するための制御を行う。録画制御部５３は、ユーザからのリアルタイムな録画指示や、録画予約部６３によって管理される録画予約の情報に基づき、チューナ１４に入力されているリアルタイムな放送信号に対応するＡＶデータや外部入力端子から入力されるＡＶデータをエンコードして記録するための制御を行う。
【００３６】
録画タイトル管理部６１は、録画タイトルの情報（名称、録画日時、内容、ジャンル、チャンネル等）を管理する。推薦タイトル通知部６２は、自動録画予約によって録画された録画タイトルの視聴をユーザに勧める動作（具体的には、例えば、ユーザ識別インジケータ２の点灯、お勧め情報画面１８１（図１３）の表示等）を制御する。録画予約管理部６３は、録画予約部７２または自動録画予約制御部７３によって設定された録画予約の情報を管理する。
【００３７】
嗜好情報管理部６４は、ユーザの操作（例えば、録画予約を行う操作、視聴していない録画タイトルを意図的に削除する操作等）からユーザの嗜好（タイトルキーワード、キーワード、ジャンル等、図５を参照して後述する）を検出し、主記憶部１７に記憶される嗜好情報ＤＢ１００に登録する。なお、操作を行ったユーザが識別できるときには、操作を行ったユーザだけの嗜好情報を、所定のポイントだけ増減する。操作を行ったユーザが識別できないときには、全てのユーザの嗜好情報に、前記所定のポイントを全てのユーザ数で除算した値を増減する。
【００３８】
図４は、嗜好情報管理部６４によって管理される嗜好情報データベース１００の構成例を示している。図示するように、嗜好情報データベース１００は、各ユーザの嗜好情報１０１Ａ乃至１０１Ｃに区分されている。ユーザＡの嗜好情報１０１Ａには、図５に示すように、以下の５項目が設けられている。タイトルキーワード１１１の項目には、番組名に含まれる単語と、それに対するユーザＡの嗜好の程度を表すパラメータが対応付けて記録されている。キーワード１１２の項目には、番組の紹介文等に含まれる単語と、それに対するユーザＡの嗜好の程度を表すパラメータが対応付けて記録されている。ジャンル１１３の項目には、番組のジャンルと、それに対するユーザＡの嗜好の程度を表すパラメータが対応付けて記録されている。放送時間帯１１４の項目には、各放送時間帯に対するユーザＡの嗜好の程度を表すパラメータが対応付けて記録されている。チャンネル１１５の項目には、各チャンネルに対するユーザＡの嗜好の程度を表すパラメータが対応付けて記録されている。ユーザＢ、Ｃの嗜好情報１０１Ｂ，１０１Ｃも同様であるので、その説明は省略する。
【００３９】
図３に戻る。視聴制御部７１は、放送番組のリアルタイムな視聴、録画タイトルの再生等におけるユーザインターフェースを制御する。録画予約部７２は、ユーザからの入力に従って録画予約を設定する。自動録画予約制御部７３は、各ユーザの嗜好にそれぞれ対応して録画予約を設定する。ネットワーク通信部７４は、ネットワーク５１を介する通信を制御する。
【００４０】
次に、図６は、自動録画予約制御部７３の制御に基づき、所定の操作に対応してモニタ３１に表示される、自動録画予約量の設定画面１２１の表示例を示している。当該設定画面１２１においては、各ユーザの嗜好に対応して設定される録画予約の時間を設定することができる。ユーザＡの自動録画予約量は、ボタン１２２やボタン１２４を選択され、決定し、それに対応して、表示欄１２３の表示を「しない」、「する」、または「たくさんする」のいずれかに切り換えることによって設定することができる。同様に、ユーザＢ，Ｃの自動録画予約量も設定することができる。
【００４１】
なお、自動録画予約量の設定は、上述した３種類以上であってもよい。また、より具体的に時間数を設定できるようにしてもよい。さらに、録画予約量として、時間を設定するのではなく、主記憶部１７を占めるデータ量や、録画予約の回数等を用いてもよい。
【００４２】
図７は、自動録画予約制御部７３による、各ユーザの嗜好にそれぞれ対応して録画予約を設定する処理について説明する。自動録画予約制御部７３は、例えば、次式に基づき、全ての放送番組に対してユーザ毎に嗜好の程度を示す嗜好度を算出し、ユーザ毎に嗜好度の高い番組を選出する。
番組の嗜好度＝Σ（タイトルキーワードのパラメータ）
＋Σ（キーワードのパラメータ）
＋ジャンルのパラメータ
＋放送時間帯のパラメータ
＋チャンネルのパラメータ
【００４３】
そして、ユーザＡ，Ｂ，Ｃ，Ａ，Ｂ，Ｃ，Ａ、…の順に、嗜好度の高い方の番組から、各ユーザの自動録画予約量の下限以上、上限以下に達するまで、番組から録画予約を設定するようにする。
【００４４】
例えば、ユーザＡについては、自動録画予約量が「たくさんする」であり、嗜好度の高い方から番組Ａ０，Ａ１，Ａ２，Ａ３，Ａ４，…が選出され、ユーザＢについては、自動録画予約量が「する」であり、嗜好度の高い方から番組Ｂ０，Ｂ１，Ｂ２，Ｂ３，…が選出され、ユーザＣについては、自動録画予約量が「しない」であり、嗜好度の高い方から番組Ｃ０，Ｃ１，Ｃ２，Ｃ３，…が選出されていると仮定する。
【００４５】
この場合、図７に斜線で示された番組Ａ０，Ｂ０，Ａ１，Ｂ１，Ａ２，Ｂ２，Ａ３，Ａ４が、自動録画予約制御部７３によって録画予約される。なお、例えば、番組Ｂ２を録画予約することにより、ユーザＢの嗜好に基づく自動録画予約量が設定されている自動録画予約量「する」の上限を超えてしまうような場合、番組Ｂ２の録画予約を行わず、番組Ｂ３以降の、より嗜好度の高いもので、自動録画予約量「する」の上限を超えないものを録画予約するようにする。
【００４６】
次に、図８は、録画予約部７２の制御に基づき、所定の操作（例えば、EPG画面を用いた録画予約操作）に対応してモニタ３１に表示される、録画予約の設定画面１３１の表示例を示している。当該設定画面１３１においては、ユーザが録画予約に関して、日時、チャンネル、録画画質モード、消去制限（プロテクト）等を任意に変更することができる。
【００４７】
また、当該設定画面１３１においては、ユーザ識別入力欄１３２を用いて、この入力を行っているユーザを通知することができる。例えば、画面１３１上の図示せぬカーソル等によってチェック欄１３３をチェックすることにより、この入力を行っているユーザがユーザＡであることを通知することができる。同様に、チェック欄１３４をチェックすることにより、この入力を行っているユーザがユーザＢであることを通知することができる。
【００４８】
なお、このユーザ識別入力欄１３２は、ビデオレコーダ１の外観に設けたユーザ識別インジケータ２と同じ形状をしていることが特徴であって、この特徴があるが故に、ユーザがユーザ識別入力欄１３２に対して入力を行うことが期待される。
【００４９】
「予約する」ボタン１３６が選択され、決定された場合、設定画面１３１に表示されている録画予約が確定される。「中止」ボタン１３７が選択され、決定された場合、設定画面１３１に表示されている録画予約は確定されず、当該画面１３１は消去される。
【００５０】
なお、ユーザ識別入力欄１３２のチェック欄１３３乃至１３５のいずれかがチェックされた状態で、「予約する」ボタン１３６が選択され、決定された場合には、この録画予約に基づいて、通知されたユーザの嗜好情報が更新される。反対に、ユーザ識別入力欄１３２のチェック欄１３３乃至１３５のいずれもチェックされていない状態で、「予約する」ボタン１３６が選択され、決定された場合には、この録画予約に基づいて、全てのユーザの嗜好情報が更新される。
【００５１】
次に、図９は、所定の操作に対応してモニタ３１に表示される、録画予約管理部６３によって管理されている録画予約の一覧を示す画面１４１の表示例を示している。当該画面１４１には、録画予約された番組の情報１４２等の一覧が表示される。なお、録画予約が、自動録画予約ではなく、ユーザの操作に対応して設定されたものである場合、「手動」マーク１４３が表示される。ユーザは、録画予約された番組の情報１４２等の一覧のうちの１つを選択することができ、この選択に対応して、当該番組に関する詳細な情報（放送日、放送時刻、放送終了時刻、録画画質モード、および放送局名）１４６と、この録画予約を設定したユーザ、またはこの録画予約が設定された嗜好情報に対応するユーザを示すユーザ識別インジケータ１４７が表示される。
【００５２】
このユーザ識別インジケータ１４７も、ビデオレコーダ１の外観に設けたユーザ識別インジケータ２と同じ形状をしていることが特徴である。
【００５３】
図９の場合、録画予約された番組の情報１４５が選択された状態となっており、ユーザ識別インジケータ１４７は、ユーザＡによって録画予約されたことを示している。
【００５４】
次に、図１０は、所定の操作に対応してモニタ３１に表示される、録画タイトル管理部６１によって管理されている録画タイトルの一覧を示す画面の一表示例を示している。当該画面１５１には、録画タイトルの情報１５２等の一覧が表示される。なお、録画タイトルが、自動録画予約ではなく、ユーザの操作に対応して設定されて録画されたものである場合、「手動」マーク１５３が表示される。ユーザは、録画タイトルの情報１５２等の一覧のうちの１つを選択することができ、この選択に対応して、当該番組タイトルに関する詳細な情報（録画日、録画開始時刻、録画時間、録画画質モード、および放送局名）１５５と、この録画タイトルの録画予約を設定したユーザ、またはこの録画タイトルの録画予約が設定された嗜好情報に対応するユーザを示すユーザ識別インジケータ１５６が表示される。
【００５５】
このユーザ識別インジケータ１５６も、ビデオレコーダ１の外観に設けたユーザ識別インジケータ２と同じ形状をしていることが特徴である。
【００５６】
図１０の場合、録画タイトルの情報１５４が選択された状態となっており、ユーザ識別インジケータ１５６は、ユーザＡとユーザＣに対応することを示している。録画タイトルの情報１５４には、「手動」マークが表示されているので、この番組名「ゴルフトーナメント」の録画タイトルは、ユーザＡ，Ｃの一方によって録画予約され、他方の嗜好情報にも合致するものであることを示している。
【００５７】
次に、図１１は、所定の操作に対応してモニタ３１に表示される、録画タイトル管理部６１によって管理されている録画タイトルの一覧を示す画面の他の表示例を示している。当該画面１６１には、録画タイトルの表示をソートするためのソートボタン１６２乃至１６６が設けられている。例えば、「映画」ソートボタン１６２が選択され、決定された場合、録画タイトルのうち、ジャンルが映画である録画タイトルの情報の一覧が表示される。「ニュース」ソートボタン１６３が選択され、決定された場合、録画タイトルのうち、ジャンルがニュースである録画タイトルの情報の一覧が表示される。
【００５８】
図１１のように、ソートボタン１６Ａが選択され、決定された場合、録画タイトルのうち、ユーザＡによって録画予約されて録画されたものと、ユーザＡの嗜好情報に基づいて自動録画予約されて録画されたものの情報の一覧が表示される。ユーザは、録画タイトルの情報１６７等の一覧のうちの１つを選択することができ、この選択に対応して、当該番組タイトルに関する詳細な情報（録画日、録画開始時刻、録画時間、録画画質モード、および放送局名）１６８と、この録画タイトルの録画予約を設定したユーザ、またはこの録画タイトルの録画予約が設定された嗜好情報に対応するユーザを示すユーザ識別インジケータ１６９が表示される。
【００５９】
また、ユーザは、録画タイトルの情報１６７等の一覧のうちの１つを選択した状態で、リモコン等に設けられた決定ボタン（不図示）を押下することにより、選択している録画タイトルの再生を指示することができる。さらに、ユーザは、録画タイトルの情報１６７等の一覧のうちの１つを選択した状態で、リモコン等に設けられた決定ボタンとは異なるツールボタン（不図示）を押下することにより、図１２に示すように、「詳細情報表示」ボタン１７１乃至「削除」ボタン１７４からなるポップアップメニュを表示させることができる。
【００６０】
「詳細情報表示」ボタン１７１が選択された場合、録画タイトルのより詳細な情報（番組の内容、出演者等）が表示される。「表示先変更」ボタン１７２が選択された場合、図示するように、さらに、ユーザ選択チェック欄１７５乃至１７７が表示される。ユーザは、ユーザ選択チェック欄１７５乃至１７７をチェックするか、チェックを解除することにより、当該録画タイトルに対応しているユーザを変更することができる。
【００６１】
「保存期間変更」ボタン１７３が選択された場合、録画タイトルの保存期間を変更するためのボタンが追加表示される。「削除」ボタン１７４が選択された場合、録画タイトルの削除指示を確認するボタンが追加表示される。
【００６２】
次に、図１３は、ユーザの嗜好情報に基づいて予約録画された録画タイトルの視聴を勧める画面１８１の表示例を示している。ユーザの嗜好情報に基づいて予約録画が行われた場合、推薦タイトル通知部６２の制御に従い、ユーザ識別インジケータ２が、視聴の対象とするユーザを示すように点灯される。ユーザ識別インジケータ２のこの点灯に気付いたユーザが所定の操作を実行すると、当該画面１８１がモニタ３１に表示される。
【００６３】
当該画面１８１には、ユーザの嗜好情報に基づいて予約録画された録画タイトルの情報１８２等の一覧が表示される。録画タイトルの情報１８２等には、視聴を勧めている対象のユーザを示すユーザ識別インジケータ１８３が設けられている。このユーザ識別インジケータ１８３も、ビデオレコーダ１の外観に設けたユーザ識別インジケータ２と同じ形状をしていることが特徴である。
【００６４】
「再生しない」ボタン１８４が選択され、決定された場合、当該画面１８１は、消去される。
【００６５】
ユーザは、録画タイトルの情報１８２等の一覧のうちの１つを選択した状態で、リモコン等に設けられた決定ボタンを押下することにより、選択している録画タイトルの再生を指示することができる。お勧めされた録画タイトルの再生が終了した際には、ユーザの感想を尋ねる画面を表示する。
【００６６】
図１４は、ユーザの感想を尋ねる画面１９１の表示例を示している。当該画面１９１には、ユーザの感想を尋ねる文「今回のおすすめはお楽しみいただけましたか？」と、「はい」ボタン１９２、「いいえ」ボタン１９３、および「どちらでもない」ボタン１９４が表示されている。
【００６７】
「はい」ボタン１９２が選択され、決定された場合、勧められたユーザ（いまの場合、ユーザＡ）の嗜好情報のうち、再生された録画タイトルに関する情報に対応する項目のパラメータが増加される。「いいえ」ボタン１９２が選択され、決定された場合、勧められたユーザの嗜好情報の嗜好情報のうち、再生された録画タイトルに関する情報に対応する項目のパラメータが減少される。「どちらででもない」ボタン１９２が選択され、決定された場合、勧められたユーザの嗜好情報は更新されない。
【００６８】
次に、図１５は、放送されているリアルタイムの番組を視聴しているときや、録画タイトルを再生して視聴しているときにおいて、所定の操作に対応してモニタ３１に表示される、興味のあるキーワードを登録するための画面２０１の表示例を示している。当該画面２０１には、視聴している番組または録画タイトルの情報（EPG情報等）から、キーワードが抽出されて表示される。表示されたキーワードが選択されて決定された場合、選択されたキーワードを、どのユーザの嗜好情報に反映させるかを選択するための画面が表示される。
【００６９】
図１６は、どのユーザの嗜好情報に反映させるかを選択するための画面２１１の表示例を示している。当該画面２１１において、「ユーザＡ」ボタン２１２が選択されて決定された場合、画面２０１において、選択されて決定されたキーワードが、ユーザＡの嗜好情報に、プラスの嗜好として反映される。
【００７０】
以上説明したように、本実施の形態のビデオレコーダ１によれば、ユーザ識別入力欄１３２や、どのユーザの嗜好情報に反映させるかを選択するための画面２１１を表示して、ユーザに入力させることにより、操作を行っているユーザを識別することができる。
【００７１】
ここで改めて、ビデオレコーダ１による、操作を行ったユーザを識別する処理について、図１７のフローチャートを参照して説明する。ステップＳ１において、制御部１１は、操作を行っているユーザの区別を設定できる画面（例えば、ユーザ識別入力欄１３２を備える画面１３２、どのユーザの嗜好情報に反映させるかを選択するための画面２１１等）を表示する。
【００７２】
ステップＳ２において、制御部１１は、ステップＳ１で表示した画面に対してユーザから、ユーザを区別するための入力が行われたか否かを判定する。ユーザを区別するための入力が行われたと判定された場合、ステップＳ３に進み、ユーザの入力に基づいてユーザが識別される。この結果に従い、例えば、識別されたユーザの嗜好情報だけが更新される。
【００７３】
ステップＳ２において、ユーザを区別するための入力が行われないと判定された場合、ステップＳ４に進む。この場合、ユーザの識別は行われず、例えば、全てのユーザの嗜好情報が更新される。以上で、操作を行ったユーザを識別する処理の説明を終了する。
【００７４】
本実施の形態のビデオレコーダ１によれば、ユーザ毎に録画予約や、キーワード等の嗜好情報を設定することができるので、例えば家族でビデオレコーダ１を共用した場合でも、各自の好みを個別に反映して自動録画予約を行うことができる。
【００７５】
また、ビデオレコーダ１によれば、録画タイトルをジャンルや対象とするユーザを指定してソートし、一覧表示することができるので、ユーザは、所望する録画タイトルを容易に見つけ出すことができる。
【００７６】
ただし、ビデオレコーダ１では、録画タイトルをユーザ毎に独立して管理しているわけではないので、例えば、ユーザＡが、ユーザＢによって予約録画された録画タイトルを視聴することができる。これにより、家族等でビデオレコーダ１を共用したような場合、録画タイトルを家族のコミュニケーションの題材とすることができる。
【００７７】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【００７８】
【図１】本発明の一実施の形態であるビデオレコーダの外観略図である。
【図２】本発明の一実施の形態であるビデオレコーダの構成例を示すブロック図である。
【図３】図２の制御部によって実行されるプログラムの機能モジュールの構成例を示すブロック図である。
【図４】嗜好情報ＤＢの構成例を示す図である。
【図５】ユーザ別嗜好情報の項目を示す図である。
【図６】自動録画予約量の設定画面の表示例を示す図である。
【図７】各ユーザの嗜好にそれぞれ対応して録画予約を設定する処理を説明するための図である。
【図８】録画予約の設定画面の表示例を示す図である。
【図９】録画予約の一覧を示す画面の表示例を示す図である。
【図１０】録画タイトルの一覧を示す画面の表示例を示す図である。
【図１１】録画タイトルの一覧を示す画面の表示例を示す図である。
【図１２】録画タイトルの一覧を示す画面におけるポップアップメニュの表示例を示す図である。
【図１３】ユーザの嗜好情報に基づいて予約録画された録画タイトルの視聴を勧める画面の表示例を示す図である。
【図１４】ユーザの感想を尋ねる画面の表示例を示す図である。
【図１５】興味のあるキーワードを登録するための画面の表示例を示す図である。
【図１６】どのユーザの嗜好情報に反映させるかを選択するための画面の表示例を示す図である。
【図１７】操作を行ったユーザを識別する処理を説明するフローチャートである。
【符号の説明】
【００７９】
１  ビデオレコーダ，  ２  ユーザ識別インジケータ，１１  制御部，  １３  プログラムメモリ，  ５１  ライブ放送再生部，  ５２  録画タイトル再生部，  ５３  録画制御部，  ６１  録画タイトル管理部，  ６２  推薦タイトル通知部，  ６３  録画予約管理部，  ６４  嗜好情報管理部，  ７１  視聴制御部，  ７２  録画予約部，  ７３  自動録画制御部，  ７４  ネットワーク通信部
【図１】
0004196278.tif 000002
【図２】
0004196278.tif 000003
【図３】
0004196278.tif 000004
【図４】
0004196278.tif 000005
【図５】
0004196278.tif 000006
【図６】
0004196278.tif 000007
【図７】
0004196278.tif 000008
【図８】
0004196278.tif 000009
【図９】
0004196278.tif 000010
【図１０】
0004196278.tif 000011
【図１１】
0004196278.tif 000012
【図１２】
0004196278.tif 000013
【図１３】
0004196278.tif 000014
【図１４】
0004196278.tif 000015
【図１５】
0004196278.tif 000016
【図１６】
0004196278.tif 000017
【図１７】
0004196278.tif 000018